(57)【要約】      （修正有）【課題】大型のキャスタを備えた装置にも使用可能なストッパを有する装置の提供。【解決手段】キャスタ１４を備えた装置１において、装置底面に床面と面接触する平面部を有するストッパ１６を装着した。ストッパ１６は発泡性の樹脂材料で形成し、装置１の下部と床面の間に挿入する挿入部があり、キャスター１４をロックした後、挿入部を弾性変形させてストッパ１６を装置１の下部と床面の間に挿入して装置１を固定する。【選択図】図１
2005306127.tif 000002
【特許請求の範囲】
【請求項１】
キャスタを備えた装置において、装置底面に床面と面接触する平面部を有するストッパ部材を装着したことを特徴とする装置。
【請求項２】
前記ストッパ部材は、発泡樹脂であることを特徴とする請求項１に記載の装置。
【請求項３】
前記ストッパ部材は、梱包材を転用したものであることを特徴とする請求項１又は２に記載の装置。
【発明の詳細な説明】
【技術分野】
【０００１】
本発明はキャスタを備えた装置において、該装置の滑走および転倒を防止するためのストッパを有する装置に関する。
【背景技術】
【０００２】
複写機等の画像形成装置に代表されるキャスタを備えた装置は、設置場所に移動するときはキャスタによって楽に移動ができ、設置場所に移動した後は、キャスタに設けられたロック機構によってキャスタを回転防止とすることで、装置が設置場所から移動しないようにすることができる。キャスタを備えた装置は、底面が略四角形となっており、それぞれの角にキャスタが取り付けられており、装置全体を４つのキャスタで支持するような構成となっているのが一般的である。
【０００３】
このような装置は、装置の設置面である床面とキャスタの接触部分だけで装置を支持するので、摩擦が小さくなっている。そのため、地震等による揺れによって、キャスタがロックされているにも関わらず、装置が床面を滑走してしまう場合がある。この時、床面に突起物等があると、キャスタが突起物に突き当たり、装置が転倒してしまう。
【０００４】
そのような問題を解決するために、装置の床投影面積よりも大きな板状部材に装置を載せ、係合部材によって板状部材と装置を固定するものが提案されている（例えば特許文献１参照）。
【０００５】
また、梱包時に梱包緩衝材としても使用できる、転倒防止用補助脚などもある（例えば特許文献２参照）。これは、梱包緩衝材を転倒防止の補助脚に転用することができるため、低コスト化が可能となり、また、梱包材を再利用するため、環境問題の解決にも寄与する。
【特許文献１】特開平１０−２４６９９９号公報（段落００３０以降、図１）
【特許文献２】特開平１０−２７８９８７号公報（段落０００５以降、図１）
【発明の開示】
【発明が解決しようとする課題】
【０００６】
しかし、特許文献１の転倒防止装置は、板状部材等の専用部材を用いている。そのため装置の設置に手間がかかる。また、専用部材であるため、コストが高くなってしまうという問題もある。
【０００７】
一方、特許文献２は、低コスト化や設置が容易等の効果がある。しかし特許文献２は、小型のパーソナルコンピュータ又は、パーソナルコンピュータに取り付ける外付けの補助記憶装置といった、机の上に設置するような小型の物を対象にしており、画像形成装置といった大型の装置の転倒防止に適用することができない。
【０００８】
そこで、本発明は、大型のキャスタを備えた装置にも使用可能なストッパを有する装置の提供を目的とする。
【課題を解決するための手段】
【０００９】
上記目的を達成するために、請求項１記載のストッパを備えた装置は、装置底面に床面と面接触する平面部を有するストッパ部材を装着したことを特徴としている。
【００１０】
請求項２記載の、ストッパを備えた装置は、前記ストッパ部材が、発泡樹脂によって形成されていることを特徴としている。
【００１１】
請求項３記載の、ストッパを備えた装置は、前記ストッパ部材が、梱包材を転用したものであることを特徴としている。
【発明の効果】
【００１２】
請求項１記載のストッパを備えた装置は、装置底面にストッパを装着している。ストッパの底部は平面部となっており、床面と面接触する。そのため、摩擦力が増大するので、装置の滑走と転倒を防止することが可能となる。
【００１３】
請求項２記載のストッパを備えた装置は、ストッパが発泡樹脂によって形成されていることで、装着が容易になる。
【００１４】
請求項３記載のストッパを備えた装置は、ストッパが梱包材を転用したものとなっている。それによって、梱包材の有効利用となり、コストダウンに寄与する。
【発明を実施するための最良の形態】
【００１５】
次に本発明の、ストッパを備えた装置を、図面を基に説明する。
【００１６】
図１は、キャスタを備えた装置にストッパを装着した状態を示す正面図である。また、図２は、図１で示した装置の左側面図である。本実施例ではキャスタを備えた装置として、画像形成装置を挙げている。本発明はキャスタを備えた装置であれば、画像形成装置以外の装置に適用することも可能であるが、画像形成装置に適用することが好ましい。
【００１７】
画像形成装置１は、自動原稿送り装置２・画像読取装置３・排紙トレイ４・画像形成装置本体５及び給紙トレイ６を有している。自動原稿送り装置２は、原稿載置台７に載置された原稿を、画像読取装置３の上面に設けられた図示しないスリットガラスに搬送し、原稿載置台７の下方に設けられた原稿排紙台８に原稿を排紙する。また、自動原稿送り装置２は、奥側、すなわち図２の左端に図示しないヒンジが設けられており、画像読取装置３に対して回動可能となっている。
【００１８】
図１で、画像読取装置３の上面にはスリットガラスの右側に図示しないプラテンガラスが配置されており、ユーザが自動原稿送り装置２をヒンジを中心に回動させて上に持ち上げ、プラテンガラスに原稿を載置して、自動原稿送り装置２を元の位置に戻すことによって原稿を読み取ることができる。
【００１９】
画像読取装置３は、内部に撮像素子・撮像素子に結像するレンズ・２つのミラーユニットを有している。ミラーユニットは図１の左右方向に移動可能となっており、原稿がプラテンガラスに載置された時には、左から右方向へ移動しながら原稿を走査する。自動原稿送り装置２によってスリットガラス上に原稿が搬送される場合は、一方のミラーユニットがスリットガラスの直下に位置し、原稿がスリットガラス上を移動することによって走査を行っている。
【００２０】
画像読取装置３には、正面に操作部９が取り付けられている。操作部９は上面にユーザが画像形成の開始を指示するスタートボタンや、画像形成部数を指定したりファクシミリの送信先の電話番号等を入力するためのテンキーが配置されている。操作部９の上面には、それらのキーの他に、画像形成モード等の情報およびテンキーから入力された数値等を表示する液晶画面が設けられている。液晶画面はタッチパネルとなっており、ユーザが液晶画面に表示されているボタンに触れることで画像形成モードの設定を行うこともできるようになっている。
【００２１】
排紙トレイ４は画像読取装置３の下方に設けられており、排紙部１０から画像形成された用紙が排紙され、排紙トレイ４に積載される。
【００２２】
画像形成装置本体５の内部には感光体ドラム・現像装置・転写装置等から構成される画像形成部がある。ユーザが指定したサイズの用紙又は、原稿の用紙サイズとユーザが指定した拡大縮小率から算出された適切なサイズの用紙が格納された給紙トレイ６から給紙された用紙は、画像形成部でトナー像を転写され、定着装置でトナー像を定着された後に排紙部１０から排紙される。
【００２３】
画像形成装置本体５の前面には、扉１１が設けられている。ユーザ又はサービスマンは、扉１１を開けることで画像形成部にアクセス可能となり、トナーボトルの交換といったメンテナンス作業が可能となっている。また、画像形成装置本体５の右側面に図示しない扉が設けられており、該扉を開けることで搬送路にアクセス可能となり、紙詰まりの処理等を行うことができる。
【００２４】
画像形成装置本体５の下方には３つの給紙トレイ６がある。それぞれの給紙トレイ６には、サイズや紙質の違う用紙を収納することができる。給紙トレイ６の前面に取っ手１２を有しており、ユーザが取っ手１２をつかんで給紙トレイ６を手前に引き出すことが可能となっている。用紙は、給紙トレイ６を引き出し、用紙を給紙トレイ６に載置し、給紙トレイ６を閉じるという操作をすることで給紙トレイ６に収納される。また、給紙トレイ６の前面には収納した用紙のサイズを表示するサイズ表示部１３が設けられている。サイズ表示部１３はダイアル式になっており、ユーザが収納した用紙のサイズの表示が前面にくるようにダイアルを回すようになっている。
【００２５】
以上のような構成の画像形成装置１は、底面部分にキャスタ１４を有している。画像形成装置１の底面部は略四角形となっており、キャスタ１４は、底面部の４つある角近辺にそれぞれひとつずつ取り付けられている。キャスタ１４にはキャスタが回転しないように固定するレバー１５があり、設置場所へ画像形成装置１を移動する時にはレバー１５を、キャスタ１４の固定を解除する位置へ移動させる。設置場所への移動が完了した場合は、レバー１５をキャスタ１４が固定する位置へ移動する。こうすることで、画像形成装置１が不用意に移動することがなくなる。
【００２６】
画像形成装置１を設置している床面と、画像形成装置１の底面部の間にはキャスタ１４の他にストッパ部材であるストッパ１６が挿入されている。ストッパ１６は図１および図２に示すように、キャスタ１４の隣、具体的には、図１のように正面から見て、右のキャスタ１４と左のキャスタ１４の間に挿入されている。ストッパ１６は図２に示したように、画像形成装置１の背面にも挿入されており、合計で４つのストッパ１６が挿入されていることとなる。
【００２７】
図３は第１実施例のストッパを示す斜視図である。ストッパ１６は発泡性の樹脂等を形成したものであり、テーパ部１７を有する頭部１８と、画像形成装置１の底面の下に挿入される挿入部１９とから構成されている。挿入部１９は直方体であり、その高さＨは、床面から画像形成装置１の底面までの高さと同じか、わずかに高くなっている。ストッパ１６は発泡樹脂製であり弾性力があるので、画像形成装置１に挿入する時に、挿入部１９の上面を下方に押し下げて、高さを一時的に低くすることで挿入が容易となる。挿入後は自然に元の高さに復元して画像形成装置１と床面に圧接する。ストッパ１６の底部２０は床面と面接触するため、キャスタ１４だけで画像形成装置１を支持する場合よりも摩擦力が大きくなり、画像形成装置１の滑走を防止できる。
【００２８】
頭部１８は挿入部１９の一端側に、挿入部１９の上面部から略垂直に立ち上がっており、立ち上がった部分は画像形成装置１の前面等に当接して、ストッパ１６が奥まで入り込まないようにする係止部２１となっている。
【００２９】
図４は第２実施例のストッパを示す斜視図である。図３と同じものには同一の符号を付してある。ストッパ２２は発泡樹脂によって形成されており、頭部１８と挿入部２３から構成されている。第２実施例のストッパ２２は挿入部２３の中央に切欠部２４を有している。
【００３０】
図５は第２実施例のストッパの使用状態を示す図である。図４で示した切欠部２４の幅Ｗは、キャスタ１４の幅とほぼ同じになっている。ストッパ２２を画像形成装置１の底部２０へ挿入する時に、キャスタ１４を切欠部２４に図５で示すようにはめ込むことで、キャスタ１４の揺れを防止し、画像形成装置１の滑走をより効果的に防止することが可能となる。
【００３１】
第１および第２実施例のストッパ１６，２２は、発泡樹脂を使用しているので、画像形成装置１をダンボール箱等に梱包するときの梱包材として使用することができる。図６は外箱に梱包された状態の装置を示す正面図である。図ではストッパ１６を用いているが、ストッパ２２でも同様な実施が可能なのはいうまでもない。図の仮想線で示したものがダンボール等を組み立てた外箱２５である。ストッパ１６は、画像形成装置１と外箱２５との間に配置されている。図３又は図４で示したストッパ１６，２２の挿入部１９，２３の上面と係止部２１が画像形成装置１の角に当接するように配置され、底部２０と頭部１８の先端面が外箱２５に当接している。図６では、ストッパ１６は画像形成装置本体５の下方、給紙トレイ６の近くに配置されており、画像形成装置１のそれぞれの角にひとつずつ配置されている。
【００３２】
このように、梱包時にはストッパ１６，２２は梱包材として使用し、設置場所に画像形成装置１を設置した後は、図１および図２のように画像形成装置１の滑走を防止するためのストッパとして使用する。
【００３３】
なお、図６では画像形成装置本体５の下方にのみストッパ１６が配置されているが、配置する位置や配置するストッパ１６の個数等はこれに限定するものではない。例えば、画像形成装置本体５に配置すると同時に、給紙トレイ６下方や、自動原稿送り装置２等にも配置することが可能である。そうすることで、輸送時の衝撃から画像形成装置１をより確実に保護することができる。
【００３４】
また、図１および図２ではストッパ１６を前面と背面に２つずつ、合計４つ使用しているが、挿入する位置や個数はこれに限定するものではない。
【図面の簡単な説明】
【００３５】
【図１】キャスタを備えた装置にストッパを装着した状態を示す正面図である。
【図２】図１の装置の左側面図である。
【図３】第１実施例のストッパを示す斜視図である。
【図４】第２実施例のストッパを示す斜視図である。
【図５】第２実施例のストッパの使用状態を示す図である。
【図６】外箱に梱包された状態の装置を示す正面図である。
【符号の説明】
【００３６】
１      画像形成装置
１４    キャスタ
１６    ストッパ
２０    底部
【図１】
2005306127.tif 000003
【図２】
2005306127.tif 000004
【図３】
2005306127.tif 000005
【図４】
2005306127.tif 000006
【図５】
2005306127.tif 000007
【図６】
2005306127.tif 000008